(57)【要約】【課題】表示装置の性能を向上させる。【解決手段】表示装置ＤＳＰ１の複数の映像信号線の一部は、額縁領域ＦＲＡに配置され、両端が複数の延在配線部（延在配線）に接続される複数の迂回配線部（迂回配線）を備える。複数の映像信号線の複数の迂回配線部は、導電層（第２導電層）ＣＬ２に配置される複数の迂回配線部ＳＬｃ２と、導電層ＣＬ１および導電層ＣＬ２とは異なる導電層ＣＬ３に配置される複数の迂回配線部ＳＬｃ３と、を含む。複数の迂回配線部ＳＬｃ３の配置ピッチＳＬｐ２、および複数の迂回配線部ＳＬｃ３の配置ピッチＳＬｐ３のそれぞれは、表示領域における複数の映像信号線の配置ピッチよりも小さい。【選択図】図１２
2020034754.tif 000002
【特許請求の範囲】
【請求項１】
表示領域を備える第１基板と、
平面視において前記表示領域の内側にある透明領域と、
平面視において前記透明領域の外縁に沿って前記透明領域を囲み、前記表示領域と前記透明領域との間にある額縁領域と、
前記表示領域において前記第１基板上の第１導電層で形成され、第１方向に延びる複数の走査信号線と、
前記表示領域において前記第１基板上の第２導電層で形成され、前記第１方向と交差する第２方向に延びる複数の映像信号線と、
を有し、
前記複数の映像信号線の一部は、前記表示領域に配置され、前記第２方向に延びる複数の延在配線と、前記額縁領域に配置され、両端が前記複数の延在配線に接続される複数の迂回配線と、を備え、
前記複数の映像信号線の前記複数の迂回配線は、前記第２導電層に配置される複数の第２層迂回配線と、前記第１導電層および前記第２導電層とは異なる第３導電層に配置される複数の第３層迂回配線と、を含み、
前記複数の第２層迂回配線の配置ピッチ、および前記複数の第３層迂回配線の配置ピッチのそれぞれは、前記表示領域における前記複数の映像信号線の配置ピッチよりも小さい、表示装置。
【請求項２】
請求項１において、
前記額縁領域は、
前記第１方向において、前記透明領域の隣に配置され、前記複数の第２層迂回配線および前記複数の第３層迂回配線のそれぞれの一部が配置される第１領域と、
前記第１方向において、前記透明領域を挟んで前記第１領域の反対側に配置され、前記複数の第２層迂回配線および前記複数の第３層迂回配線のそれぞれの他の一部が配置される第２領域と、
を含む、表示装置。
【請求項３】
請求項２において、
前記第１領域に配置される前記複数の第２層迂回配線の本数と、前記第２領域に配置される前記複数の第２層迂回配線の本数とは互いに等しく、
前記第１領域に配置される前記複数の第３層迂回配線の本数と、前記第２領域に配置される前記複数の第３層迂回配線の本数とは互いに等しい、表示装置。
【請求項４】
請求項２または３において、
前記第１領域に配置される前記複数の第２層迂回配線および前記複数の第３層迂回配線のそれぞれは、前記透明領域の外縁に沿って円弧状に延び、
前記第１領域の幅は、前記第２方向における位置に対応して変化し、かつ、前記透明領域の中心から前記第１方向に延ばした第１仮想線と重なる位置において最も大きい、表示装置。
【請求項５】
請求項１〜４のいずれか１項において、
前記複数の走査信号線の一部は、前記表示領域に配置され、前記第１方向に延びる複数の走査信号用延在配線と、前記第１導電層の前記額縁領域に配置され、両端が前記複数の走査信号用延在配線に接続される複数の第１層迂回配線と、を備え、
前記複数の第１層迂回配線の配置ピッチは、前記表示領域における前記複数の走査信号線の配置ピッチよりも小さい、表示装置。
【請求項６】
請求項５において、
前記額縁領域は、
前記第２方向において、前記透明領域の隣に配置され、前記複数の第１層迂回配線の一部が配置される第３領域と、
前記第２方向において、前記透明領域を挟んで前記第３領域の反対側に配置され、前記複数の第１層迂回配線の他の一部が配置される第４領域と、
を含む、表示装置。
【請求項７】
請求項６において、
前記第３領域に配置される前記複数の第１層迂回配線の本数と、前記第４領域に配置される前記複数の第１層迂回配線の本数とは互いに等しい、表示装置。
【請求項８】
請求項６または７において、
前記第３領域に配置される前記複数の第１層迂回配線のそれぞれは、前記透明領域の外縁に沿って円弧状に延び、
前記第３領域の幅は、前記透明領域の中心から前記第２方向に延ばした第２仮想線と重なる位置において最も大きい、表示装置。
【請求項９】
請求項５〜８のいずれか１項において、
前記複数の映像信号線は、第１色用の映像信号が伝送される複数の第１映像信号線と、第２色用の映像信号が伝送される複数の第２映像信号線と、第３色用の映像信号が伝送される複数の第３映像信号線と、を含み、
前記複数の第１映像信号線、および前記複数の第２映像信号線は、前記額縁領域において前記複数の第２層迂回配線に接続され、
前記複数の第３映像信号線は、前記額縁領域において前記複数の第３層迂回配線に接続される、表示装置。
【請求項１０】
請求項９において、
前記額縁領域において、対を成す前記第１映像信号線と前記第２映像信号線とが互いに隣り合うように配置され、平面視において、前記対を成す前記第１映像信号線と前記第２映像信号線との間に前記第３映像信号線が配置され、
平面視において、互いに隣り合う前記複数の第３層迂回配線の配置ピッチは、互いに隣り合う前記複数の第２層迂回配線の配置ピッチより大きい、表示装置。
【請求項１１】
請求項９または１０において、
前記額縁領域において、対を成す前記第１映像信号線と前記第２映像信号線とが互いに隣り合うように配置され、平面視において、前記対を成す前記第１映像信号線と前記第２映像信号線との間に前記走査信号線が配置され、
平面視において、互いに隣り合う前記複数の第１層迂回配線の配置ピッチは、互いに隣り合う前記複数の第２層迂回配線の配置ピッチより大きい、表示装置。
【請求項１２】
請求項１１において、
平面視において、前記走査信号線の前記複数の第１層迂回配線と、前記第３映像信号線の前記複数の第３層迂回配線とは重なり、
平面視において、互いに隣り合う前記対の間には、前記走査信号線の前記複数の第１層迂回配線および前記第３映像信号線の前記複数の第３層迂回配線が配置されず、かつ、前記複数の第２層迂回配線の延在方向に沿って延びる光透過性の領域が存在する、表示装置。
【請求項１３】
請求項６において、
前記表示領域および前記額縁領域を備え、前記第１基板と対向配置される第２基板と、
平面視において、前記透明領域を囲むように前記額縁領域に配置され、前記第１基板と前記第２基板とを接着固定するシール材と、
を更に備え、
前記第２導電層は、第１絶縁膜に覆われ、
前記第３導電層は、前記第１絶縁膜上に形成され、かつ、第２絶縁膜に覆われ、
前記額縁領域には、前記第２導電層と前記第３導電層とを電気的に接続する複数のコンタクトホールが前記第１方向に沿って配列されるコンタクト領域があり、
前記コンタクト領域と前記表示領域との間には、前記第１絶縁膜上に前記第３導電層および前記第２絶縁膜が形成されていない段差部がある、表示装置。
【請求項１４】
請求項１〜１３のいずれか１項において、
前記額縁領域には、前記第２導電層と前記第３導電層とを電気的に接続する複数のコンタクトホールが配置され、
平面視において、前記複数のコンタクトホールのそれぞれの底面は、前記複数の走査信号線と重ならない位置に形成される、表示装置。
【請求項１５】
請求項１〜１４のいずれか１項において、
平面視において、前記複数の映像信号線と前記複数の走査信号線とは互いに交差し、
前記複数の映像信号線のそれぞれが備える延在配線の幅は、前記複数の第２層迂回配線の幅より大きい、表示装置。
【請求項１６】
請求項５〜１３のいずれか１項において、
平面視において、前記複数の映像信号線と前記複数の走査信号線とは互いに交差し、
前記額縁領域において、前記複数の映像信号線と前記複数の第１層迂回配線とが交差する複数の交差部のそれぞれに形成される鋭角は、４５度以上の角度の鋭角の数の方が、４５度未満の角度の鋭角の数より多い、表示装置。
【請求項１７】
請求項５において、
前記複数の映像信号線は、第１色用の映像信号が伝送される複数の第１映像信号線と、第２色用の映像信号が伝送される複数の第２映像信号線と、第３色用の映像信号が伝送される複数の第３映像信号線と、を含み、
平面視において、隣り合う第１層迂回配線の間には、前記第１映像信号線、および前記第２映像信号線がそれぞれ１本ずつ配置され、
前記複数の第３層迂回配線は、前記複数の第１層迂回配線と重なり、かつ、前記複数の第３映像信号線に接続される、表示装置。
【発明の詳細な説明】
【技術分野】
【０００１】
本発明は、表示装置の技術に関し、表示領域内に画素と重ならない非表示領域がある表示装置に適用して有効な技術に関する。
【背景技術】
【０００２】
特許文献１（特開２００６−３４３７２８号公報）には、映像表示部と透明表示部との間に遮光部が配置された表示装置が記載されている。また、特許文献２（米国特許出願公開第２０１７／０１２３４５２号明細書）には、カメラと重なる位置に透明領域が設けられた表示装置が記載されている。
【先行技術文献】
【特許文献】
【０００３】
【特許文献１】特開２００６−３４３７２８号公報
【特許文献２】米国特許出願公開第２０１７／０１２３４５２号明細書
【発明の概要】
【発明が解決しようとする課題】
【０００４】
表示装置に対して、表示領域内の非表示領域の面積を出来る限り小さくして、有効表示領域の占有率を増大させる要求がある。本願発明者は、この要求に対する取組の一環として、例えばカメラなどの部品を配置する領域の周囲を囲む位置まで表示領域の面積を拡大させる技術について検討した。平面視において、表示領域の内側にカメラなどの部品を配置する領域が存在する場合、表示領域に配置される多数の信号配線のレイアウトが課題になる。例えば、表示領域の内側に可視光透過性の透明領域を配置する場合、複数の信号配線が、透明領域と重ならないように、透明領域の周辺を迂回する必要がある。
【０００５】
本発明の目的は、表示装置の性能を向上させる技術を提供することにある。
【課題を解決するための手段】
【０００６】
本発明の一態様である表示装置は、表示領域と、平面視において前記表示領域の内側にある透明領域と、平面視において前記透明領域の外縁に沿って前記透明領域を囲み、前記表示領域と前記透明領域との間にある額縁領域と、を備える第１基板と、前記表示領域において前記第１基板上の第１導電層に形成され、第１方向に延びる複数の走査信号線と、前記表示領域において前記第１基板上の第２導電層に形成され、前記第１方向と交差する第２方向に延びる複数の映像信号線と、を有する。前記複数の映像信号線の一部は、前記表示領域に配置され、前記第２方向に延びる複数の延在配線部と、前記額縁領域に配置され、両端が前記複数の延在配線部に接続される複数の迂回配線部と、を備える。前記複数の映像信号線の前記複数の迂回配線部は、前記第２導電層に配置される複数の第２層迂回配線部と、前記第１導電層および前記第２導電層とは異なる第３導電層に配置される複数の第３層迂回配線部と、を含む。前記複数の第２層迂回配線部の配置ピッチ、および前記複数の第３層迂回配線部の配置ピッチのそれぞれは、前記表示領域における前記複数の映像信号線の配置ピッチよりも小さい。
【０００７】
本発明の他の一態様である表示装置は、表示領域と、平面視において前記表示領域の内側にある透明領域と、平面視において前記透明領域の外縁に沿って前記透明領域を囲み、前記表示領域と前記透明領域との間にある額縁領域と、前記表示領域および前記額縁領域を備える第１基板と、前記表示領域において前記第１基板上の第１導電層に形成され、第１方向に延びる複数の走査信号線と、前記表示領域において前記第１基板上の第２導電層に形成され、前記第１方向と交差する第２方向に延びる複数の映像信号線と、を有する。前記複数の走査信号線の一部は、前記表示領域に配置され、前記第１方向に延びる複数の第１延在配線部と、前記額縁領域に配置され、両端が前記複数の第１延在配線部に接続される複数の第１迂回配線部と、を備える。前記複数の映像信号線の一部は、前記表示領域に配置され、前記第２方向に延びる複数の第２延在配線部と、前記額縁領域に配置され、両端が前記複数の第２延在配線部に接続される複数の第２迂回配線部と、を備える。前記複数の第１迂回配線部の配置ピッチは、前記複数の第１延在配線部の配置ピッチより大きい。前記複数の第２迂回配線部の配置ピッチは、前記複数の第２延在配線部の配置ピッチより小さい。前記額縁領域は、前記第１方向において、前記透明領域の隣に配置され、前記複数の第２迂回配線部のそれぞれの一部が配置される第１領域と、前記第１方向において、前記透明領域を挟んで前記第１領域の反対側に配置され、前記複数の第２迂回配線部のそれぞれの他の一部が配置される第２領域と、前記第２方向において、前記透明領域の隣に配置され、前記複数の第１迂回配線部のそれぞれの一部が配置される第３領域と、前記第２方向において、前記透明領域を挟んで前記第３領域の反対側に配置され、前記複数の第１迂回配線部のそれぞれの他の一部が配置される第４領域と、を含む。
【図面の簡単な説明】
【０００８】
【図１】一実施の形態である表示装置の一例を示す表示面側の平面図である。
【図２】図１のＡ−Ａ線に沿った断面図である。
【図３】図１に示す表示装置が備える画素周辺の回路構成例を示す回路図である。
【図４】図２に示す表示装置の表示領域の拡大断面図である。
【図５】図１に示す透明領域周辺の第１導電層の拡大平面図である。
【図６】図１に示す透明領域周辺の第２導電層の拡大平面図である。
【図７】図１に示す透明領域周辺の第３導電層の拡大平面図である。
【図８】図６および図７に示す複数の迂回配線部が配置される領域を模式的に示す拡大平面図である。
【図９】図５に示す複数の迂回配線部が配置される領域を模式的に示す拡大平面図である。
【図１０】図７に示すＢ部において、図６および図７に示す迂回配線を重ねあわせた状態を示す拡大平面図である。
【図１１】図１０と同じ位置において、図５および図６に示す迂回配線を重ねあわせた状態を示す拡大平面図である。
【図１２】図１０および図１１に示すＡ−Ａ線に沿った拡大断面図である。
【図１３】図６に示す第２導電層と図７に示す第３導電層とを接続する部分周辺の拡大平面図である。
【図１４】図１３のＡ部の拡大平面図である。
【図１５】図１４のＡ−Ａ線に沿った拡大断面図である。
【図１６】図１に示す透明領域の周囲の額縁領域に配置されるシール材の平面形状を示す拡大平面図である。
【図１７】図１６のＡ−Ａ線に沿った拡大断面図である。
【図１８】図６に対する変形例である表示装置が有する透明領域周辺の第２導電層の拡大平面図である。
【図１９】図１８に示す複数の迂回配線部が配置される領域を模式的に示す拡大平面図である。
【図２０】図１８に示す表示装置の第１導電層の複数の迂回配線部が配置される領域を模式的に示す拡大平面図である。
【図２１】図１２に対する変形例を示す拡大断面図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一または関連する符号を付して、詳細な説明を適宜省略することがある。
【００１０】
また、以下の実施の形態では、表示装置の例として、電気光学層である液晶層を備えた液晶表示装置を取り上げて説明する。ただし、以下で説明する技術は、液晶表示装置の他、種々の変形例に適用できる。例えば、電気光学層は、液晶層の他、有機発光素子層、マイクロＬＥＤを含む無機発光素子層、ＭＥＭＳ（Micro Electro Mechanical Systems）シャッター、あるいは、電気泳動素子層など、電気的なエネルギーを印加することにより、光学特性が変化する素子を含んだ層であれば良い。
【００１１】
本願では、平面視において、互いに隣り合うように配列される複数の配線（後述する走査信号線や映像信号線）の配線幅、配置ピッチ、あるいは、配置密度などの用語をもちいる場合がある。上記の用語は、以下のように定義される。配線幅とは、配線の延在方向（長手方向）に対して直交する方向の配線の長さである。配置ピッチとは、互いに隣り合う配線間の中心間距離である。配線密度とは、単位面積当たりに配線を構成する導体パターンが占める割合である。配線密度は、配線幅と配置ピッチ（中心間距離）との関係により規定される。すなわち、配線幅を定数とすると、配線密度は、配置ピッチと反比例する。また、配置ピッチを定数とすると、配線密度は配線幅に比例する。また、配線の離間距離とは、互いに隣り合う配線の間の距離である。なお、複数の配線のそれぞれは、幅方向の断面において、台形の断面形状を有する。この場合、隣り合う配線の離間距離とは、隣り合う配線それぞれが有する台形の底辺間の距離を意味する。また、配線幅とは、配線が有する台形の底辺の長さを意味する。また、本明細書において、ラインアンドスペースという用語を用いる場合があるが、このラインアンドスペースのラインとは、配線幅の意味であり、スペースとは離間距離の意味である。
【００１２】
また、液晶表示装置は、液晶層の液晶分子の配向を変化させるための電界の印加方向により、大きくは以下の２通りに分類される。すなわち、第１の分類として、表示装置の厚さ方向（あるいは面外方向）に電界が印加される、所謂、縦電界モードがある。縦電界モードには、例えばＴＮ（Twisted Nematic）モードや、ＶＡ（Vertical Alignment）モードなどがある。また、第２の分類として、表示装置の平面方向（あるいは面内方向）に電界が印加される、所謂、横電界モードがある。横電界モードには、例えばＩＰＳ（In-Plane Switching）モードや、ＩＰＳモードの一つであるＦＦＳ（Fringe Field Switching）モードなどがある。以下で説明する技術は、縦電界モードおよび横電界モードのいずれにも適用できるが、以下で説明する実施の形態では、一例として、横電界モードの表示装置を取り上げて説明する。
【００１３】
（実施の形態１）
＜表示装置の構成＞
まず、表示装置の構成について説明する。図１は、本実施の形態の表示装置の一例を示す表示面側の平面図である。図１では、表示領域ＤＡと周辺領域ＰＦＡの境界、表示領域ＤＡと額縁領域ＦＲＡとの境界、および額縁領域ＦＲＡと透明領域ＴＲＡとの境界のそれぞれを二点鎖線で示している。また、図１では、シール材ＳＬＭが配置される領域をドットパターンで示している。図２は、図１のＡ−Ａ線に沿った断面図である。後述する図４に示すように、基板１０と基板２０との間には、液晶層ＬＱの他、複数の導電層や絶縁層があるが、図２では図示を省略している。図３は、図１に示す表示装置が備える画素周辺の回路構成例を示す回路図である。図４は、図２に示す表示装置の表示領域の拡大断面図である。図４では、基板１０の厚さ方向（図４に示すＺ方向）における走査信号線ＧＬと映像信号線ＳＬとの位置関係の例を示すため、図４とは異なる断面に設けられた走査信号線ＧＬを点線で示している。
【００１４】
図１に示すように、本実施の形態の表示装置ＤＳＰ１は、表示領域ＤＡを有する。表示領域ＤＡには、外部から供給される入力信号に応じて画像が形成される。表示領域ＤＡは、表示面を視た平面視において、表示装置ＤＳＰ１が画像を表示する有効領域である。また、表示装置ＤＳＰ１は、平面視において、表示領域ＤＡの周囲にある周辺領域（非表示領域）ＰＦＡを有する。なお、表示装置ＤＳＰ１は、表示領域ＤＡの周囲に周辺領域ＰＦＡを備えているが、変形例として、周縁部まで表示領域ＤＡになっている表示装置もある。以下で説明する技術は、表示領域ＤＡが、表示装置の周縁部まで広がっているタイプの表示装置にも適用できる。また、図１に示す表示装置ＤＳＰ１の表示領域ＤＡは四角形であるが、表示領域が多角形や円形など、四角形以外の形状であってもよい。例えば、表示領域ＤＡの４つの角部のそれぞれが、ラウンド形状になっている場合がある。
【００１５】
また、表示装置ＤＳＰ１は、平面視において、表示領域ＤＡの内側にある透明領域ＴＲＡと、額縁領域ＦＲＡと、を有する。額縁領域ＦＲＡは、平面視において透明領域ＴＲＡの外縁に沿って透明領域ＴＲＡを囲み、表示領域ＤＡと透明領域ＴＲＡとの間にある。また、額縁領域ＦＲＡは後述する遮光膜ＢＭにより遮光されており、額縁領域ＦＲＡは、「遮光領域」と言い換えることもできる。透明領域ＴＲＡは、表示装置ＤＳＰ１に取り付けられるカメラなどの部品が配置される領域である。透明領域ＴＲＡは、カメラなどの部材に可視光を照射するため、可視光を透過するように形成されている。例えば、表示装置を構成する基板や偏光板には、透明領域ＴＲＡに開口部が設けられている。あるいは、透明領域ＴＲＡには、可視光透過性の部材が設けられ、金属配線などの遮光性部材が配置されていない。なお、透明領域ＴＲＡや額縁領域ＦＲＡには、カメラの他、マイク、あるいはスピーカなどの部品が配置される場合もある。
【００１６】
図２に示すように、表示装置ＤＳＰ１は、液晶層ＬＱを介して対向するように貼り合せられた基板１０および基板２０を有している。基板１０と基板２０とは、表示装置ＤＳＰ１の厚さ方向（Ｚ方向）において互いに対向する。基板１０は、液晶層ＬＱ（および基板２０）と対向する前面（主面、面）１０ｆを有する。また基板２０は、基板１０の前面１０ｆ（および液晶層ＬＱ）と対向する背面（主面、面）２０ｂを有する。基板１０は、スイッチング素子（能動素子）としての複数のトランジスタ（トランジスタ素子）Ｔｒ１（図３参照）がアレイ状に配置されたアレイ基板である。また、基板２０は、表示面側に設けられた基板である。基板２０は、アレイ基板に対向配置された基板という意味で、対向基板と言い換えることができる。
【００１７】
また、液晶層ＬＱは、基板１０の前面１０ｆと基板２０の背面２０ｂとの間にある。液晶層ＬＱは、可視光の透過状態を制御する電気光学層である。スイッチング素子を介して液晶層ＬＱの周辺に形成される電界の状態を制御することにより、そこを通過する光を変調する機能を備えている。基板１０および基板２０にある表示領域ＤＡは、図２に示すように液晶層ＬＱと重畳する。
【００１８】
また、基板１０と基板２０とは、シール材（接着材）ＳＬＭを介して接着される。図１に示すように、シール材ＳＬＭは、表示領域ＤＡの周囲を囲むように、周辺領域ＰＦＡに配置される。図２に示すように、シール材ＳＬＭの内側には、液晶層ＬＱがある。シール材ＳＬＭは、基板１０と基板２０との間に液晶を封入するシールとしての役割を果たす。また、シール材ＳＬＭは、基板１０と基板２０とを接着する、接着材としての役割を果たす。
【００１９】
また、表示装置ＤＳＰ１は、光学素子ＯＤ１と、光学素子ＯＤ２と、を有する。光学素子ＯＤ１は、基板１０とバックライトユニットＢＬとの間に配置される。光学素子ＯＤ２は、基板２０の表示面側、すなわち基板２０を挟んで基板１０の反対側に配置される。光学素子ＯＤ１および光学素子ＯＤ２は、それぞれ少なくとも偏光板を含んでおり、必要に応じて位相差板を含んでいてもよい。また上述のように透明領域ＴＲＡには透明性の阻害要因となり得る光学素子ＯＤ１、ＯＤ２は形成されていない。より具体的には光学素子ＯＤ１、ＯＤ２は透明領域ＴＲＡの形状に沿って開口部が設けられることになる。
【００２０】
また、表示装置ＤＳＰ１は、基板２０の表示面側を覆う、カバー部材ＣＶＭ（図２参照）を備えている。カバー部材ＣＶＭは、基板２０の背面（面）２０ｂの反対側の前面（面）１０ｆに対向する。言い換えれば、カバー部材ＣＶＭは、基板２０の背面（面）２０ｂの反対側の前面（面）２０ｆに対向する。基板２０は、Ｚ方向において、カバー部材ＣＶＭと基板１０の間にある。カバー部材ＣＶＭは、基板１０、２０や光学素子ＯＤ２を保護する保護部材であって、表示装置ＤＳＰ１の表示面側に配置されている。ただし、本実施の形態に対する変形例としては、カバー部材ＣＶＭが無い場合もある。
【００２１】
基板１０および基板２０のそれぞれは、可視光透過性（可視光が透過する特性）を備える透明な板材である。透明な板材である基板として、ガラス基板を例示することができる。また、基板１０や基板２０の構成材料として、ポリイミドやポリアミド、ポリカルボナート、あるいは、ポリエステルなどのポリマーを含む樹脂材料（可視光透過性の樹脂材料）を用いることもできる。また、ポリイミドなどの樹脂材料から成る基板の場合、基板が可撓性を備える。基板１０が可撓性を備える場合、基板１０の一部分（例えば周辺領域ＰＦＡ）を湾曲させる、あるいは折り曲げることができる。基板１０や基板２０が可撓性を備えている場合、平面視における周辺領域ＰＦＡの面積を低減できる。この場合、平面視における有効表示領域の占有率を増大させることができる。
【００２２】
図３に示すように、表示領域ＤＡには、複数の画素（ピクセル）ＰＸが配置される。図３に示す例では、複数の画素ＰＸのそれぞれは、複数の副画素（サブピクセル）ＰＸｓを有する。複数の副画素ＰＸｓには、例えば、赤色用、青色用、および緑色用の副画素ＰＸｓが含まれ、複数の副画素ＰＸｓの色調を制御することにより、カラー画像を表示することができる。一つの画素ＰＸを構成する副画素ＰＸｓの種類の数は、図３に例示する３種類の他、種々の変形例が適用できる。
【００２３】
複数の副画素ＰＸｓのそれぞれは、液晶層ＬＱに印加する電界のオン−オフを制御するスイッチング素子であるトランジスタＴｒ１を備える。トランジスタＴｒ１は、副画素ＰＸｓの動作を制御する。トランジスタＴｒ１は、後述するように、基板１０上に形成された薄膜トランジスタ（Thin Film Transistor：ＴＦＴ）である。
【００２４】
また、図３に示すように、表示装置ＤＳＰ１は、表示領域ＤＡにおいて、Ｘ方向に延びる複数の走査信号線ＧＬと、表示領域ＤＡにおいて、Ｘ方向に交差する（図３では直交する）Ｙ方向に延びる複数の映像信号線ＳＬと、を有する。走査信号線ＧＬは、トランジスタＴｒ１のゲートに接続される、ゲート線である。また、映像信号線ＳＬは、トランジスタＴｒ１のソースに接続される、ソース線である。複数の走査信号線ＧＬのそれぞれは、Ｘ方向に延び、かつ、Ｙ方向において、例えば等間隔で配列されている。複数の映像信号線ＳＬのそれぞれは、Ｙ方向に延び、かつ、Ｘ方向において、例えば等間隔で配列されている。
【００２５】
複数の走査信号線ＧＬのそれぞれは、走査駆動回路（ゲート駆動回路）ＧＤに接続される。走査駆動回路ＧＤから出力された走査信号Ｇｓｉは、走査信号線ＧＬを介してトランジスタＴｒ１のゲートに入力される。また、複数の映像信号線ＳＬのそれぞれは、映像信号駆動回路ＳＤに接続される。映像信号駆動回路ＳＤから出力された映像信号Ｓｐｉｃは、映像信号線ＳＬを介してトランジスタＴｒ１のソースに入力される。
【００２６】
複数の映像信号線ＳＬのそれぞれは、トランジスタＴｒ１を介して画素電極ＰＥに接続される。詳しくは、映像信号線ＳＬは、トランジスタＴｒ１のソースに接続され、画素電極ＰＥは、トランジスタＴｒ１のドレインに接続される。トランジスタＴｒ１がオンになっている時、画素電極ＰＥには、映像信号線ＳＬから映像信号Ｓｐｉｃが供給される。また、画素電極ＰＥは、誘電層（図３に示す容量素子ＣＳ）を介して共通電極ＣＥに接続されている。共通電極ＣＥには、共通電位供給回路ＣＤから固定電位が供給される。共通電極ＣＥに供給される固定電位は、複数の副画素ＰＸｓに対して共通の電位である。表示期間において、共通電極ＣＥに供給される電位と、画素電極ＰＥに供給される電位との電位差に応じて各副画素ＰＸｓには電界が形成され、この電界により、液晶層ＬＱに含まれる液晶分子が駆動される。
【００２７】
図３に示す走査駆動回路ＧＤ、映像信号駆動回路ＳＤ、および共通電位供給回路ＣＤのそれぞれは、図１に示す周辺領域ＰＦＡ、または、周辺領域ＰＦＡに接続される配線基板ＦＷＢ１に形成された駆動ＩＣチップ（ＣＢ１）に搭載された回路であってもよく、基板１０に内蔵回路として形成されたものであってもよい。また、詳述はしないが配線基板ＦＷＢ１は基板１０に形成された複数の端子ＴＭ１に接続される。
【００２８】
図４に示すように、基板１０と液晶層ＬＱとの間には、複数の導電層ＣＬ１〜ＣＬ５、複数の絶縁膜１１〜１６、および配向膜ＡＬ１がある。複数の導電層ＣＬ１〜ＣＬ５、複数の絶縁膜１１〜１６、および配向膜ＡＬ１は基板１０の前面１０ｆ上に形成される。また、基板２０と液晶層ＬＱとの間には、遮光膜ＢＭと、カラーフィルタＣＦＲ、ＣＦＧおよびＣＦＢと、絶縁膜ＯＣ１と、配向膜ＡＬ２と、がある。遮光膜ＢＭ、カラーフィルタＣＦＲ、ＣＦＧ、ＣＦＢ、絶縁膜ＯＣ１、および配向膜ＡＬ２は、基板２０の背面２０ｂ上に形成される。
【００２９】
図４に示す導電層ＣＬ１、ＣＬ２およびＣＬ３のそれぞれには、金属の導体パターン（金属配線）が形成される。導電層ＣＬ１および導電層ＣＬ３は、例えばモリブデン（Ｍｏ）やタングステン（Ｗ）等の金属またはそれらの合金から成る金属膜を含んでいる。導電層ＣＬ２の導体パターンは、例えばアルミニウム（Ａｌ）膜がチタン（Ｔｉ）膜や窒化チタン（ＴｉＮ）膜などに挟まれた積層膜など、多層構造の金属膜を含んでいる。また、導電層ＣＬ４および導電層ＣＬ５は、主に、ＩＴＯ（Indium tin oxide）またはＩＺＯ（Indium Zinc Oxide）などの導電性の酸化物材料（透明導電材料）を含む。
【００３０】
導電層ＣＬ１〜ＣＬ５の間には、絶縁膜が介在する。導電層ＣＬ１と基板１０との間には、絶縁膜１１、および絶縁膜１２が介在する。導電層ＣＬ１と導電層ＣＬ２との間には、絶縁膜１３が介在する。導電層ＣＬ３と導電層ＣＬ４との間には、絶縁膜１４が介在する。導電層ＣＬ４と導電層ＣＬ５との間には、絶縁膜１５が介在する。導電層ＣＬ５と液晶層ＬＱとの間には、配向膜ＡＬ１が介在する。絶縁膜１１、１２、１３、および１６のそれぞれは、無機絶縁膜である。無機絶縁膜としては、例えば窒化珪素（ＳｉＮ）膜、酸化珪素（ＳｉＯ）膜、酸化アルミニウム（ＡｌＯｘ）膜あるいはこれらの積層膜を例示できる。また、絶縁膜１４および絶縁膜１５は、有機絶縁膜である。有機材料から成る絶縁膜は、無機材料から成る絶縁膜よりも厚く形成することにより、上面（前面）を平坦化することができる。絶縁膜１４および絶縁膜１５は、下地層に形成された導体パターンの凹凸を平坦化する平坦化膜として用いられる。このため、絶縁膜１４の厚さおよび絶縁膜１５の厚さは、無機絶縁膜である絶縁膜１１、１２、および１３のそれぞれの厚さより厚い。有機絶縁膜の例としては、アクリル系の感光性樹脂などが例示できる。
【００３１】
複数の走査信号線ＧＬのそれぞれは、基板１０上の導電層ＣＬ１に形成される。基板１０上には絶縁膜１１および絶縁膜１２が積層され、走査信号線ＧＬは絶縁膜１２上に形成される。複数の映像信号線ＳＬのそれぞれは、基板１０上の導電層ＣＬ２に形成される。基板１０上には絶縁膜１１、１２および１３が積層され、映像信号線ＳＬは絶縁膜１３上に形成される。
【００３２】
絶縁膜１１と絶縁膜１２の間には、図３に示すトランジスタ（トランジスタ素子）Ｔｒ１の半導体層が形成される。半導体層は、図４とは異なる断面にあるため、図４には半導体層を示していない。半導体層のソース領域は、導体層ＣＬ２に形成される映像信号線ＳＬと電気的に接続される。半導体層のドレイン領域は、導体層ＣＬ５の画素電極ＰＥと電気的に接続される。平面視において、走査信号線ＧＬは、半導体層のソース領域とドレイン領域との間に延びる。また、走査信号線ＧＬは、半導体層のチャネル領域と重なり、トランジスタＴｒ１のゲート電極として機能する。チャネル領域と走査信号線ＧＬとの間に介在する絶縁膜１２は、ゲート絶縁膜として機能する。上記した例のように、トランジスタＴｒ１のチャネル領域の上側にゲート電極が配置される構造のＴＦＴは、トップゲート方式と呼ばれる。ただし、ＴＦＴの方式には種々の変形例があり、例えば、チャネル領域の下側にゲート電極が配置されるボトムゲート方式を用いても良い。あるいは、チャネル領域の上側および下側の両方にゲート電極が配置される方式もある。
【００３３】
導電層ＣＬ３には、配線ＭＷ３が配置される。配線ＭＷ３は、走査信号線ＧＬや映像信号線ＳＬと同様に金属から成る金属配線である。配線ＭＷ３は、厚さ方向（Ｚ方向）において映像信号線ＳＬと重なる位置に配置されている。配線ＭＷ３は、導電層ＣＬ４に形成される共通電極ＣＥと電気的に接続される。この場合、配線ＭＷ３は、共通電極ＣＥに電位を供給する配線として利用することができる。あるいは、配線ＭＷ３は、表示装置ＤＳＰ１がタッチパネル機能を備えている場合に、タッチ位置の検出に利用される駆動信号や検出信号を伝送する信号伝送経路として利用される。
【００３４】
導電層ＣＬ４には、共通電極ＣＥが形成される。共通電極ＣＥは、平坦化膜である絶縁膜１５上に形成される。図４では、一つの共通電極ＣＥを示しているが、図１に示す表示領域ＤＡにおいて、複数の共通電極ＣＥが互いに離間して配置されていても良い。また、上記したように、共通電極ＣＥには、複数の副画素ＰＸｓに対して共通する電位が供給される。このため、図４に示すように共通電極ＣＥは、複数の副画素ＰＸｓに亘って配置されていても良い。
【００３５】
導電層ＣＬ５には、複数の画素電極ＰＥが形成される。画素電極ＰＥが形成される導電層ＣＬ５と共通電極ＣＥが形成される導電層ＣＬ４との間には、無機絶縁膜である絶縁膜１６が介在する。この絶縁膜１６が誘電層として機能して、図３に示す容量素子ＣＳが形成される。
【００３６】
複数の画素電極ＰＥは、配向膜ＡＬ１に覆われる。配向膜ＡＬ１は液晶層ＬＱに含まれる液晶分子の初期配向を揃える機能を備える有機絶縁膜であって、例えばポリイミド樹脂から成る。また、配向膜ＡＬ１は、液晶層ＬＱに接する。
【００３７】
また、図４に示すように、基板２０の背面（主面、面）２０ｂ上には、遮光膜ＢＭ、カラーフィルタＣＦＲ、ＣＦＧ、ＣＦＢ、絶縁膜ＯＣ１、および配向膜ＡＬ２が形成されている。
【００３８】
カラーフィルタＣＦＲ、ＣＦＧおよびＣＦＢは、基板１０と対向する背面２０ｂ側に形成される。図３に示す例では、赤（Ｒ）、緑（Ｇ）、青（Ｂ）の３色のカラーフィルタＣＦＲ、ＣＦＧ、ＣＦＢが周期的に配列される。カラー表示装置では、例えばこの赤（Ｒ）、緑（Ｇ）、青（Ｂ）の３色の画素を１組として、カラー画像を表示する。基板２０の複数のカラーフィルタＣＦＲ、ＣＦＧ、ＣＦＢは、基板１０に形成される画素電極ＰＥを有するそれぞれの画素ＰＸ（図１参照）と、互いに対向する位置に配置される。なお、カラーフィルタの種類は、赤（Ｒ）、緑（Ｇ）、青（Ｂ）の３色に限定されるものではない。
【００３９】
また、各色のカラーフィルタＣＦＲ、ＣＦＧ、ＣＦＢのそれぞれの境界には、遮光膜ＢＭが配置される。遮光膜ＢＭはブラックマトリクスと呼ばれ、例えば黒色の樹脂や、低反射性の金属から成る。遮光膜ＢＭは、平面視において、例えば格子状に形成される。言い換えれば、遮光膜ＢＭは、Ｘ方向およびＹ方向に延在している。詳しくは、遮光膜ＢＭは、Ｙ方向に延びる複数の部分と、Ｙ方向に交差するＸ方向に延びる複数の部分を有している。各画素ＰＸをブラックマトリクスで区画することにより、光漏れや混色を抑制することができる。
【００４０】
遮光膜ＢＭは、表示領域ＤＡにおいて、金属配線である走査信号線ＧＬ、映像信号線ＳＬ、および配線ＭＷ３と重畳する。遮光性を有する金属配線が遮光膜ＢＭと重なる位置に配置されていることにより、表示画面において、金属配線が視認され難くなる。一方、共通電極ＣＥおよび画素電極ＰＥの少なくとも一部分は、遮光膜ＢＭと重ならない位置に配置されている。共通電極ＣＥおよび画素電極ＰＥは、可視光透過性の導電性材料により形成されている。このため、共通電極ＣＥおよび画素電極ＰＥは遮光膜ＢＭと重ならない位置に配置されているが、各副画素ＰＸｓにおいて、可視光は、共通電極ＣＥや画素電極ＰＥにより遮光されない。
【００４１】
また、遮光膜ＢＭは、基板２０の周辺領域ＰＦＡ（図１参照）にも形成される。周辺領域ＰＦＡは、遮光膜ＢＭと重畳する。表示領域ＤＡは、周辺領域ＰＦＡよりも内側の領域として規定される。また、周辺領域ＰＦＡは、図２に示すバックライトユニット（光源）ＢＬから照射された光を遮光する遮光膜ＢＭと重畳する領域である。遮光膜ＢＭは表示領域ＤＡ内にも形成されるが、表示領域ＤＡには、遮光膜ＢＭに複数の開口部が形成される。一般的に、遮光膜ＢＭに形成され、カラーフィルタが露出する開口部のうち、最も周縁部側に形成された開口部の端部が、表示領域ＤＡと周辺領域ＰＦＡの境界として規定される。
【００４２】
図４に示す絶縁膜ＯＣ１は、カラーフィルタＣＦＲ、ＣＦＧ、ＣＦＢを覆っている。絶縁膜ＯＣ１は、カラーフィルタから液晶層に対して不純物が拡散するのを防止する保護膜として機能する。絶縁膜ＯＣ１は、例えばアクリル系の感光性樹脂等から成る、有機絶縁膜である。
【００４３】
絶縁膜ＯＣ１は、配向膜ＡＬ２に覆われる。配向膜ＡＬ２は液晶層ＬＱに含まれる液晶分子の初期配向を揃える機能を備える有機絶縁膜であって、例えばポリイミド樹脂から成る。また、配向膜ＡＬ２は、液晶層ＬＱに接する。
【００４４】
＜透明領域ＴＲＡ周辺の詳細＞
次に、図１に示す透明領域ＴＲＡの周辺について詳細に説明する。図５は、図１に示す透明領域周辺の第１導電層の拡大平面図である。図６は、図１に示す透明領域周辺の第２導電層の拡大平面図である。図７は、図１に示す透明領域周辺の第３導電層の拡大平面図である。
【００４５】
図５に示すように、複数の走査信号線ＧＬのそれぞれは、表示領域ＤＡ内において、Ｘ方向に延びる。また、図６に示すように複数の映像信号線ＳＬのそれぞれは、表示領域ＤＡ内において、Ｙ方向に延びる。図３に示すように、走査信号線ＧＬと映像信号線ＳＬとが交差する一つの交差部に、一つの副画素ＰＸｓが形成される。
【００４６】
ここで、図５に示すように、表示領域ＤＡ内に透明領域ＴＲＡが配置される場合、Ｘ方向に沿って直線的に延びる複数の走査信号線ＧＬのうちの一部は、走査信号線ＧＬの延在配線部（走査信号用延在配線部）ＧＬｒの延長線上に透明領域ＴＲＡが配置される。同様に、図６に示すように、表示領域ＤＡ内に透明領域ＴＲＡが配置される場合、Ｙ方向に沿って直線的に延びる複数の映像信号線ＳＬのうちの一部は、映像信号線ＳＬの延在配線部（映像信号用延在配線部）ＳＬｒの延長線上に透明領域ＴＲＡが配置される。しかし、透明領域ＴＲＡにおける可視光透過性を向上させるためには、金属配線である走査信号線ＧＬや映像信号線ＳＬが、透明領域ＴＲＡと重ならないことが好ましい。本明細書では、走査信号線ＧＬや映像信号線ＳＬの一部分において、一方向に沿って延びる部分を延在配線部、透明領域ＴＲＡを避けるように迂回している部分を迂回配線部と呼ぶ。ただし、「配線部」という呼称については単に「配線」と称しても良い。例えば、「延在配線部」を単に「延在配線」、「迂回配線部」を「迂回配線」、と呼称した場合でも、その意味は同じである。
【００４７】
一方、透明領域ＴＲＡの周囲の領域を表示領域として利用するためには、走査信号線ＧＬや映像信号線ＳＬが透明領域ＴＲＡの近傍で寸断されないようにする必要がある。
【００４８】
本実施の形態の表示装置ＤＳＰ１の場合、図５に示すように、複数の走査信号線ＧＬの一部は、表示領域ＤＡに配置され、Ｘ方向に延びる複数の延在配線部（走査信号用延在配線部）ＧＬｒと、導電層ＣＬ１の額縁領域ＦＲＡに配置され、両端が複数の延在配線部ＧＬｒに接続される複数の迂回配線部ＧＬｃと、を備える。迂回配線部ＧＬｃは、透明領域ＴＲＡの外縁に沿って走査信号の伝送経路を迂回させる配線である。走査信号の伝送経路を構成する迂回配線部ＧＬｃは、本願明細書において、走査信号用迂回配線部と呼ぶ場合がある。また、迂回配線部ＧＬｃは、第１導電層である導電層ＣＬ１に形成されるので、本願明細書において、第１層迂回配線部と呼ぶ場合がある。迂回配線部ＧＬｃは延在配線部ＧＬｒの延在方向であるＸ方向と異なる方向に延びている。図５に示す例では、複数の迂回配線部ＧＬｃのそれぞれは、円形を成す透明領域ＴＲＡの外縁に沿って円弧状に延びる。また、複数の迂回配線部ＧＬｃのそれぞれは、二つの端部ＧＬｅを有し、二つの端部ＧＬｅのそれぞれに、延在配線部ＧＬｒが接続されている。
【００４９】
また、表示装置ＤＳＰ１の場合、図６に示すように、複数の映像信号線ＳＬの一部は、表示領域ＤＡに配置され、Ｙ方向に延びる複数の延在配線部（映像信号用延在配線部）ＳＬｒと、導電層ＣＬ２の額縁領域ＦＲＡに配置され、両端が複数の延在配線部ＳＬｒに接続される複数の迂回配線部ＳＬｃ２と、を備える。迂回配線部ＳＬｃ２は、透明領域ＴＲＡの外縁に沿って映像信号の伝送経路を迂回させる配線である。映像信号の伝送経路を構成する迂回配線部ＳＬｃ２は、本願明細書において、映像信号用迂回配線部と呼ぶ場合がある。また、迂回配線部ＳＬｃ２は、第２導電層である導電層ＣＬ２に形成されるので、本願明細書において、第２層迂回配線部と呼ぶ場合がある。迂回配線部ＳＬｃ２は、延在配線部ＳＬｒの延在方向であるＹ方向と異なる方向に延びている。図６に示す例では、複数の迂回配線部ＳＬｃ２のそれぞれは、円形を成す透明領域ＴＲＡの外縁に沿って円弧状に延びる。また、複数の迂回配線部ＳＬｃ２のそれぞれは、二つの端部ＳＬｅを有し、二つの端部ＳＬｅのそれぞれに、延在配線部ＳＬｒが接続されている。
【００５０】
ここで、図５に示す迂回配線部ＧＬｃおよび図６に示す迂回配線部ＳＬｃ２が配置される額縁領域ＦＲＡでは、走査信号線ＧＬと映像信号線ＳＬとの交差部の配置が、表示領域ＤＡとは異なる。このため、額縁領域ＦＲＡを有効表示領域として利用することが難しい。このため、平面視における有効表示領域の占有率を大きくするためには、額縁領域ＦＲＡの面積を小さくすることが好ましい。そこで、本願発明者は、透明領域ＴＲＡの周囲を囲む額縁領域ＦＲＡの面積を小さくする技術について検討した。
【００５１】
額縁領域ＦＲＡに配置される配線（走査信号線ＧＬまたは映像信号線ＳＬ）の本数の下限値は、透明領域ＴＲＡの面積と、表示領域ＤＡにおける配線の配置ピッチとの関係により規定される。例えば、図５に示す透明領域ＴＲＡの平面形状は円形であるが、この円の半径が１０８０〜４０５０μｍ、表示領域ＤＡにおいて互いに隣り合う走査信号線ＧＬの配置ピッチ（中心間距離）が５４μｍである場合、少なくとも４０〜１５０本の走査信号線ＧＬが額縁領域ＦＲＡに配置される。また、例えば図６に示す透明領域ＴＲＡの平面形状は円形であるが、この円の半径が１０８０〜４０５０μｍ、表示領域ＤＡにおいて互いに隣り合う映像信号線ＳＬの配置ピッチ（中心間距離）が１８μｍである場合、少なくとも１２０〜４５０本の映像信号線ＳＬが額縁領域ＦＲＡに配置される。
【００５２】
カラー表示装置の場合、複数種類の色用の映像信号線ＳＬが必要になる。本実施の形態の場合、図６に示す複数の映像信号線ＳＬは、第１色用（例えば赤色用）の映像信号が伝送される複数の映像信号線ＳＬＲと、第２色用（例えば青色用）の映像信号が伝送される複数の映像信号線ＳＬＢと、第３色用（例えば緑色用）の映像信号が伝送される複数の映像信号線ＳＬＧとを含む。この場合、一つの画素に３本の映像信号線ＳＬが配置されるので、映像信号線ＳＬの配置ピッチは、走査信号線ＧＬの配置ピッチより小さい。このため、額縁領域ＦＲＡに配置される映像信号線ＳＬの本数は、額縁領域ＦＲＡに配置される走査信号線ＧＬの本数より多い。したがって、額縁領域ＦＲＡの面積の下限値を規定する要素としては、映像信号線ＳＬの本数の方が、走査信号線ＧＬの本数よりも支配的である。なお、変形例として後述するように、図５に対する変形例として、額縁領域ＦＲＡに迂回配線部ＧＬｃを配置しない場合もある。
【００５３】
額縁領域ＦＲＡの面積を低減させるためには、図６に示す額縁領域ＦＲＡに配置される映像信号線ＳＬの配置ピッチを低減させることが重要である。表示装置ＤＳＰ１の場合、額縁領域ＦＲＡに配置される映像信号線ＳＬの迂回配線部の配置ピッチは、表示領域ＤＡにおける映像信号線ＳＬの配置ピッチより小さい。例えば、図６に示す例では、表示領域ＤＡにおける映像信号線ＳＬの配置ピッチＳＬｐ１は、１８μｍである。一方、額縁領域ＦＲＡにおける迂回配線部ＳＬｃ２の配置ピッチＳＬｐ２は、４．５μｍである。表示装置ＤＳＰ１の場合、迂回配線部ＳＬｃ２の配置ピッチＳＬｐ２は、表示領域ＤＡにおける映像信号線ＳＬの配置ピッチＳＬｐ１より小さいので、額縁領域ＦＲＡの面積を低減することができる。
【００５４】
また、表示装置ＤＳＰ１の場合、映像信号線ＳＬの迂回配線部は、複数の導電層に形成されている。すなわち、複数の映像信号線ＳＬの複数の迂回配線部は、図６に示す導電層ＣＬ２に配置される複数の迂回配線部（第２層迂回配線部）ＳＬｃ２と、図７に示す導電層（第３導電層）ＣＬ３に配置される複数の迂回配線部（第３層迂回配線部）ＳＬｃ３と、を含む。また、迂回配線部ＳＬｃ３の配置ピッチＳＬｐ３は、図６に示す導電層ＣＬ２の、表示領域ＤＡにおける映像信号線ＳＬの配置ピッチＳＬｐ１より小さい。例えば、迂回配線部ＳＬｃ３の配置ピッチＳＬｐ３は、９μｍである。
【００５５】
なお、変形例として後述する図１８に示す表示装置ＤＳＰ２の場合、複数の映像信号線ＳＬの全ての迂回配線部ＳＬｃ２は、導電層ＣＬ２に接続され、図７に示す導電層ＣＬ３に相当する導電層には、迂回配線部は配置されていない。この場合でも、迂回配線部ＳＬｃ２の配置ピッチＳＬｐ２を小さくすることにより、額縁領域ＦＲＡの増大を抑制することはできる。ただし、表示装置ＤＳＰ１の場合、表示装置ＤＳＰ２と比較して、さらに額縁領域ＦＲＡの面積を低減できる。
【００５６】
図８は、図６および図７に示す複数の迂回配線部が配置される領域を模式的に示す拡大平面図である。図６に示すように、表示装置ＤＳＰ１の場合、複数の迂回配線部ＳＬｃ２は、Ｘ方向において、透明領域ＴＲＡの両隣に配置されている。同様に、図７に示す複数の迂回配線部ＳＬｃ３は、Ｘ方向において、透明領域ＴＲＡの両隣に配置されている。言い換えれば、図８に示すように、額縁領域ＦＲＡは、Ｘ方向において、透明領域ＴＲＡの隣に配置され、複数の迂回配線部ＳＬｃ２（図６参照）および複数の迂回配線部ＳＬｃ３（図７参照）のそれぞれの一部が配置される領域（第１領域）ＦＲＡ１を含む。また、額縁領域ＦＲＡは、Ｘ方向において、透明領域ＴＲＡを挟んで領域ＦＲＡ１の反対側に配置され、複数の迂回配線部ＳＬｃ２および複数の迂回配線部ＳＬｃ３のそれぞれの他の一部が配置される領域（第２領域）ＦＲＡ２を含む。
【００５７】
図８に示すように、Ｘ方向において、透明領域ＴＲＡの両隣に迂回配線部ＳＬｃ２（図６参照）、およびＳＬｃ３（図７参照）が配置されている場合、Ｘ方向において、透明領域ＴＲＡのいずれか一方の隣のみに、迂回配線が配置されている場合と比較して、額縁領域ＦＲＡの面積を低減できる。
【００５８】
また、表示装置ＤＳＰ１の場合、図８に示す領域ＦＲＡ１に配置される迂回配線部ＳＬｃ２（図６参照）の本数と、領域ＦＲＡ２に配置される迂回配線部ＳＬｃ２の本数とが互いに等しい。また、領域ＦＲＡ１に配置される迂回配線部ＳＬｃ３（図７参照）の本数と、領域ＦＲＡ２に配置される迂回配線部ＳＬｃ３の本数とが互いに等しい。言い換えれば、迂回配線部ＳＬｃ２およびＳＬｃ３は、Ｘ方向において、透明領域ＴＲＡの両隣に、同数ずつ、バランス良く配列されている。例えば、図６に示す例では、領域ＦＲＡ１（図８参照）に配列される迂回配線部ＳＬｃ２の本数、および領域ＦＲＡ２（図８参照）に配列される迂回配線部ＳＬｃ２の本数は、それぞれ１８本ずつである。また、図７に示す例では、領域ＦＲＡ１（図８参照）に配列される迂回配線部ＳＬｃ３の本数、および領域ＦＲＡ２（図８参照）に配列される迂回配線部ＳＬｃ３の本数は、それぞれ９本ずつである。なお、図６および図７に示す例では、図面の見易さを考慮して映像信号線ＳＬの本数が少ない場合の一例を示している。したがって、映像信号線ＳＬの本数や、迂回配線部ＳＬｃ２、ＳＬｃ３の総本数は、図６および図７に示す例の他、種々の変形例があることは言うまでもない。例えば、上記したように、合計で１２０〜４５０本の映像信号線ＳＬが額縁領域ＦＲＡに配置される場合には、領域ＦＲＡ１に配列される迂回配線部ＳＬｃ２の本数、および領域ＦＲＡ２に配列される迂回配線部ＳＬｃ２の本数は、それぞれ４０〜１５０本ずつの場合がある。また、この場合、領域ＦＲＡ１に配列される迂回配線部ＳＬｃ３の本数、および領域ＦＲＡ３に配列される迂回配線部ＳＬｃ３の本数は、それぞれ２０〜７５本ずつである。
【００５９】
迂回配線部ＳＬｃ２およびＳＬｃ３をバランスよく配列することにより、領域ＦＲＡ１と領域ＦＲＡ２との形状が透明領域ＴＲＡの中心をＹ方向に通過する中心線に対して線対称な形状になる。この場合、透明領域ＴＲＡの周辺の領域を、迂回配線部の配置領域として効率的に使用することができるので、領域ＦＲＡ１および領域ＦＲＡ２に配置される迂回配線部の本数が大きく異なる場合と比較して額縁領域ＦＲＡの面積を低減できる。なお、迂回配線部の総本数が偶数である場合には、表示装置ＤＳＰ１のように、領域ＦＲＡ１および領域ＦＲＡ２に配置される迂回配線部の本数が同数になるように配置できる。しかし、迂回配線部の総本数が奇数である場合には、領域ＦＲＡ１および領域ＦＲＡ２のうち、いずれか一方に配置される迂回配線部の本数が１本多くても良い。
【００６０】
また、図８に示す領域ＦＲＡ１に配置される複数の迂回配線部ＳＬｃ２（図６参照）および複数の迂回配線部ＳＬｃ３（図７参照）のそれぞれは、透明領域ＴＲＡの外縁に沿って円弧状に延びる。領域ＦＲＡ１の平面形状は、三日月形である。領域ＦＲＡ１の幅ＦＲｗ１は、Ｙ方向における位置に対応して変化し、かつ、透明領域ＴＲＡの中心からＸ方向に延ばした第１仮想線ＶＬ１と重なる位置において最も大きい。同様に、領域ＦＲＡ２に配置される複数の迂回配線部ＳＬｃ２および複数の迂回配線部ＳＬｃ３のそれぞれは、透明領域ＴＲＡの外縁に沿って円弧状に延びる。領域ＦＲＡ２の平面形状は、三日月形である。領域ＦＲＡ２の幅ＦＲｗ２は、Ｙ方向における位置に対応して変化し、かつ、透明領域ＴＲＡの中心からＸ方向に延ばした第１仮想線ＶＬ１と重なる位置において最も大きい。なお、領域ＦＲＡ１、ＦＲＡ２の幅とは、各領域の最内周に配置される迂回配線部の接線方向に対して直交する方向の長さとして定義される。幅ＦＲｗ１およびＦＲｗ２は、仮想線ＶＬ１からの距離が遠くなるにしたがって、徐々に小さくなる。
【００６１】
また、図５に示すように、表示装置ＤＳＰ１の場合、複数の走査信号線ＧＬにも迂回配線部ＧＬｃが設けられている。複数の走査信号線ＧＬの一部は、表示領域ＤＡに配置され、Ｘ方向に延びる複数の延在配線部（走査信号用延在配線部）ＧＬｒと、導電層ＣＬ１の額縁領域ＦＲＡに配置され、両端が複数の延在配線部ＧＬｒに接続される複数の迂回配線部ＧＬｃと、を備える。
【００６２】
上記したように、一つの画素ＰＸ（図３参照）に対応する走査信号線ＧＬの本数は、映像信号線ＳＬの本数より少ない。このため、額縁領域ＦＲＡの形状が環状である場合、複数の迂回配線部ＧＬｃの配置ピッチＧＬｐ２は、図６に示す複数の迂回配線部ＳＬｃ２の配置ピッチＳＬｐ２と比較すると余裕がある。ただし、額縁領域ＦＲＡに複数の迂回配線部ＧＬｃが配置される場合には、配置ピッチＧＬｐ２を小さくすることが好ましい。図５に示す例の場合、複数の迂回配線部ＧＬｃの配置ピッチＧＬｐ２は、表示領域ＤＡにおける複数の走査信号線ＧＬの配置ピッチＧＬｐ１よりも小さい。図５に示す例では、Ｙ方向における走査信号線ＧＬの配置ピッチＧＬｐ１は、５４μｍである。一方、Ｙ方向における走査信号線ＧＬの迂回配線部ＧＬｃの配置ピッチＧＬｐ２は、９μｍである。この場合、Ｙ方向における額縁領域ＦＲＡの幅を低減できるので、結果的に額縁領域ＦＲＡの面積を小さくできる。
【００６３】
図９は、図５に示す複数の迂回配線部が配置される領域を模式的に示す拡大平面図である。図５に示すように、表示装置ＤＳＰ１の場合、複数の迂回配線部ＧＬｃは、Ｙ方向において、透明領域ＴＲＡの両隣に配置されている。言い換えれば、図９に示すように、額縁領域ＦＲＡは、Ｙ方向において、透明領域ＴＲＡの隣に配置され、複数の迂回配線部ＧＬｃ（図５参照）のそれぞれの一部が配置される領域（第３領域）ＦＲＡ３を含む。また、額縁領域ＦＲＡは、Ｙ方向において、透明領域ＴＲＡを挟んで領域ＦＲＡ３の反対側に配置され、複数の迂回配線部ＧＬｃのそれぞれの他の一部が配置される領域（第４領域）ＦＲＡ４を含む。
【００６４】
また、表示装置ＤＳＰ１の場合、図９に示す領域ＦＲＡ３に配置される迂回配線部ＧＬｃ（図５参照）の本数と、領域ＦＲＡ４に配置される迂回配線部ＧＬｃの本数とが互いに等しい。言い換えれば、迂回配線部ＧＬｃは、Ｙ方向において、透明領域ＴＲＡの両隣に、同数ずつ、バランス良く配列されている。例えば、図５に示す例では、領域ＦＲＡ３（図９参照）に配列される迂回配線部ＧＬｃの本数、および領域ＦＲＡ４（図９参照）に配列される迂回配線部ＧＬｃの本数は、それぞれ９本ずつである。なお、図５に示す例では、図面の見易さを考慮して走査信号線ＧＬの本数が少ない場合の一例を示している。したがって、走査信号線ＧＬの本数や、迂回配線部ＧＬｃの総本数は、図５に示す例の他、種々の変形例があることは言うまでもない。例えば、上記したように、合計で４０〜１５０本の走査信号線ＧＬが額縁領域ＦＲＡに配置される場合には、領域ＦＲＡ３に配列される迂回配線部ＧＬｃの本数、および領域ＦＲＡ４に配列される迂回配線部ＧＬｃの本数は、それぞれ２０〜７５本ずつの場合がある。また、迂回配線部ＧＬｃの総本数が奇数である場合には、領域ＦＲＡ３および領域ＦＲＡ４のうち、いずれか一方に配置される迂回配線部の本数が１本多くても良い。
【００６５】
また、図９に示す領域ＦＲＡ３に配置される複数の迂回配線部ＧＬｃ（図５参照）のそれぞれは、透明領域ＴＲＡの外縁に沿って円弧状に延びる。領域ＦＲＡ３の平面形状は、三日月形である。領域ＦＲＡ３の幅ＦＲｗ３は、Ｘ方向における位置に対応して変化し、かつ、透明領域ＴＲＡの中心からＹ方向に延ばした第２仮想線ＶＬ２と重なる位置において最も大きい。同様に、領域ＦＲＡ４に配置される複数の迂回配線部ＧＬｃのそれぞれは、透明領域ＴＲＡの外縁に沿って円弧状に延びる。領域ＦＲＡ４の平面形状は、三日月形である。領域ＦＲＡ４の幅ＦＲｗ４は、Ｘ方向における位置に対応して変化し、かつ、透明領域ＴＲＡの中心からＹ方向に延ばした第２仮想線ＶＬ２と重なる位置において最も大きい。なお、領域ＦＲＡ３、ＦＲＡ４の幅とは、各領域の最内周に配置される迂回配線部の接線方向に対して直交する方向の長さとして定義される。幅ＦＲｗ３およびＦＲｗ４は、仮想線ＶＬ２からの距離が遠くなるにしたがって、徐々に小さくなる。
【００６６】
図６を用いて説明したように、複数の映像信号線ＳＬは、第１色用（例えば赤色用）の映像信号が伝送される複数の映像信号線ＳＬＲと、第２色用（例えば青色用）の映像信号が伝送される複数の映像信号線ＳＬＢと、第３色用（例えば緑色用）の映像信号が伝送される複数の映像信号線ＳＬＧとを含む。表示装置ＤＳＰ１の場合、図６に示す複数の映像信号線ＳＬＲ、および複数の映像信号線ＳＬＢは、額縁領域ＦＲＡにおいて複数の迂回配線部ＳＬｃ２に接続され、複数の映像信号線ＳＬＧは、図７に示す額縁領域ＦＲＡにおいて複数の迂回配線部ＳＬｃ３に接続される。表示装置ＤＳＰ１のように、複数の映像信号線ＳＬのうちの一部が、図７に示す導電層ＣＬ３の迂回配線部ＳＬｃ３に接続される場合、迂回配線部ＳＬｃ３に接続される映像信号線ＳＬは、複数種類の映像信号線ＳＬのうち、同じ種類の映像信号線ＳＬに統一されることが好ましい。迂回配線部ＳＬｃ２と迂回配線部ＳＬｃ３とでは、配線抵抗や容量負荷などの値が異なる。したがって、迂回配線部ＳＬｃ３に特定の色用の映像信号線ＳＬが接続されている場合、画素毎に色の濃度を設定して画像を表示するラスタ形式で表示を行う際に、映像信号線ＳＬの一部が迂回配線部ＳＬｃ３に接続されることに伴うムラを低減することができる。例えば、特定の色用の映像信号線ＳＬのみが迂回配線部ＳＬｃ３に接続されている場合、迂回配線部ＳＬｃ３に供給される映像信号の信号強度を調整することができる。
【００６７】
図１０は、図７に示すＢ部において、図６および図７に示す迂回配線を重ねあわせた状態を示す拡大平面図である。図１１は、図１０と同じ位置において、図５および図６に示す迂回配線を重ねあわせた状態を示す拡大平面図である。図１２は、図１０および図１１に示すＡ−Ａ線に沿った拡大断面図である。図１０および図１１は平面図であるが、各導電層に配置された迂回配線部の平面視における位置関係を見やすくするため、ドットパターンまたはハッチングを付している。詳しくは、図１２に示す導電層ＣＬ２に形成された配線には、ドットパターンを付し、導電層ＣＬ１および導電層ＣＬ３に形成された配線にはハッチングを付している。また、迂回配線部ＳＬｃ２と迂回配線部ＳＬｃ３とが重なる領域において、迂回配線部ＳＬｃ２の輪郭を点線で示している。
【００６８】
図１０に示すように、額縁領域ＦＲＡにおいて、対を成す映像信号線ＳＬＲと映像信号線ＳＬＢとが互いに隣り合うように配置され、平面視において、対を成す映像信号線ＳＬＲと映像信号線ＳＬＢとの間に映像信号線ＳＬＧが配置されている。また、平面視において、互いに隣り合う複数の迂回配線部ＳＬｃ３の配置ピッチＳＬｐ３は、互いに隣り合う複数の迂回配線部ＳＬｃ２の配置ピッチＳＬｐ２より大きい。例えば、迂回配線部ＳＬｃ３の配置ピッチＳＬｐ３は、９μｍであり、額縁領域ＦＲＡにおける迂回配線部ＳＬｃ２の配置ピッチＳＬｐ２は、４．５μｍである。
【００６９】
図１０に示すように、平面視において、互いに隣り合う迂回配線部ＳＬｃ２の間に迂回配線部ＳＬｃ３が配置されることにより、複数の迂回配線部ＳＬｃ２のそれぞれに印加される容量負荷のバラつきを低減できる。また、上記のレイアウトにより、複数の迂回配線部ＳＬｃ３のそれぞれに印加される容量負荷のバラつきを低減できる。
【００７０】
図１１に示すように、額縁領域ＦＲＡにおいて、対を成す映像信号線ＳＬＲと映像信号線ＳＬＢとが互いに隣り合うように配置され、平面視において、対を成す映像信号線ＳＬＲと映像信号線ＳＬＢとの間に走査信号線ＧＬが配置される。また、平面視において、互いに隣り合う複数の迂回配線部ＧＬｃの配置ピッチＧＬｐ２は、互いに隣り合う複数の迂回配線部ＳＬｃ２の配置ピッチＳＬｐ２より大きい。
【００７１】
図１１に示すように、平面視において、互いに隣り合う迂回配線部ＳＬｃ２の間に迂回配線部ＧＬｃが配置されることにより、複数の迂回配線部ＳＬｃ２のそれぞれに印加される容量負荷のバラつきを低減できる。また、上記のレイアウトにより、複数の迂回配線部ＧＬｃのそれぞれに印加される容量負荷のバラつきを低減できる。
【００７２】
図１２に示すように、平面視において、走査信号線ＧＬの複数の迂回配線部ＧＬｃと、映像信号線ＳＬＧの複数の迂回配線部ＳＬｃ３とは重なる。図１２は断面図であるが、図１０と図１１とに記載されるＡ−Ａ線を重ねあわせることにより、平面視において、複数の迂回配線部ＧＬｃと複数の迂回配線部ＳＬｃ３とが互いに重なっていることは明らかである。また、図１０または図１１に示すように、平面視において、互いに隣り合う対の間には、走査信号線ＧＬの複数の迂回配線部ＧＬｃおよび映像信号線ＳＬＧの複数の迂回配線部ＳＬｃ３が配置されない。このため、図１０および図１１に示すように、互いに隣り合う対の間（例えば、互いに隣り合う迂回配線部ＳＬｃ３の間、または互いに隣り合う走査信号線ＧＬの間）には、複数の迂回配線部ＳＬｃ２の延在方向に沿って延びる光透過性の領域ＴＬＡが存在する。
【００７３】
図１２に示すように、額縁領域ＦＲＡには、遮光性の金属配線（導電層ＣＬ１、導電層ＣＬ２、および導電層ＣＬ３）が高密度で配置される。また、図１６を用いて後述するように、額縁領域ＦＲＡでは、遮光性の金属配線に重なるようにシール材ＳＬＭが配置されることがある。この際、シール材ＳＬＭは紫外線硬化性樹脂が含まれる。シール材ＳＬＭに紫外線を照射することにより、シール材ＳＬＭが硬化し、基板１０と基板２０とが接着される。また、基板１０と基板２０との間に配置されたシール材ＳＬＭを硬化させることにより、透明領域ＴＲＡに表示領域ＤＡから液晶が侵入することを防止できる。この場合、透明領域ＴＲＡの透明性が液晶により阻害されることを防止できる。額縁領域ＦＲＡの紫外線硬化性樹脂であるシール材ＳＬＭを硬化させる際には、シール材ＳＬＭに紫外線を照射する必要がある。額縁領域ＦＲＡには、遮光性の金属配線が高密度で配置されているが、図１０および図１１に示すように、額縁領域ＦＲＡには、光透過性の領域ＴＬＡが配置されている。このため、領域ＴＬＡでは紫外線が透過し、シール材ＳＬＭに照射されるので、シール材ＳＬＭを硬化させることができる。また、図１０や図１１に示すように、複数の領域ＴＬＡが連続的に設けられていることにより、紫外線がシール材ＳＬＭに照射され易い。
【００７４】
図１０〜図１２に示す構成は、以下のように表現することもできる。図１２に示すように、複数の映像信号線ＳＬは、第１色用（例えば赤色用）の映像信号が伝送される複数の映像信号線ＳＬＲと、第２色用（例えば青色用）の映像信号が伝送される複数の映像信号線ＳＬＢと、第３色用（例えば緑色用）の映像信号が伝送される複数の映像信号線ＳＬＧとを含む。図１０に示すように、平面視において、隣り合う迂回配線部ＧＬｃの間には、映像信号線ＳＬＲ、および映像信号線ＳＬＢがそれぞれ１本ずつ配置される。また、図１２に示すように、複数の迂回配線部ＳＬｃ３は、複数の迂回配線部ＧＬｃと重なり、かつ、複数の映像信号線ＳＬＧに接続される。
【００７５】
なお、上記では図１６に示すシール材ＳＬＭを紫外線で硬化させる例について説明した。ただし、図１２に示す絶縁膜１４や絶縁膜１５に紫外線硬化性樹脂が含まれていても良い。額縁領域ＦＲＡが、図４に示す遮光膜ＢＭと重なっている場合もある。図１０や図１１に示すように、複数の領域ＴＬＡが設けられている場合、基板１０側から紫外線を照射して、図１６に示すシール材ＳＬＭに到達させることができるので、基板２０側において、額縁領域ＦＲＡの全体が図４に示す遮光膜ＢＭと重なっていても良い。
【００７６】
次に、図６に示す映像信号線ＳＬの延在配線部ＳＬｒと、図７に示す迂回配線部ＳＬｃ３との接続構造について説明する。図１３は、図６に示す第２導電層と図７に示す第３導電層とを接続する部分周辺の拡大平面図である。図１４は、図１３のＡ部の拡大平面図である。図１５は図１４のＡ−Ａ線に沿った拡大断面図である。図１３および図１４は平面図であるが、図１５に示す導電層ＣＬ２に形成された配線には、ドットパターンを付し、導電層ＣＬ３に形成された配線にはハッチングを付している。図１３および図１４では、図１５に示す導電層ＣＬ１に形成された走査信号線ＧＬの輪郭、およびコンタクトホールＣＨ１の底面ＣＨｂの輪郭を二点鎖線で示している。図１３では、複数のコンタクトホールＣＨ１が配列されるコンタクト領域ＣＴＡにハッチングを付している。図１４では、迂回配線部ＳＬｃ２と迂回配線部ＳＬｃ３とが重なる領域において、迂回配線部ＳＬｃ２の輪郭を点線で示している。また、迂回配線部ＧＬｃを二点鎖線で示している。
【００７７】
図１３〜図１５に示すように、額縁領域ＦＲＡには、導電層ＣＬ２（図１５参照）と導電層ＣＬ３（図１５参照）とを電気的に接続するコンタクトホールＣＨ１が配置されている。図１５に示すように、コンタクトホールＣＨ１は、絶縁膜１４を貫通するように形成された開口部である。コンタクトホールＣＨ１の底面ＣＨｂにおいて、映像信号線ＳＬの延在配線部ＳＬｒの一部分が絶縁膜１４から露出している。延在配線部ＳＬｒの絶縁膜１４からの露出部分は、金属パターンが形成され、この金属パターンは、導電層ＣＬ３に形成される迂回配線部ＳＬｃ３に向かって延びる。導電層ＣＬ２に形成される延在配線部ＳＬｒと、導電層ＣＬ３に形成される迂回配線部ＳＬｃ３とは、コンタクトホールＣＨ１を介して電気的に接続される。図１３に示すように、額縁領域ＦＲＡには、導電層ＣＬ２と導電層ＣＬ３とを電気的に接続する複数のコンタクトホールＣＨ１がＸ方向に沿って配列されるコンタクト領域ＣＴＡがある。
【００７８】
図１４に示すように、映像信号線ＳＬＧの延在配線部ＳＬｒの先端には、延在配線部ＳＬｒより幅（Ｙ方向の長さ）が太いコンタクト部ＳＬＣＰが接続される。コンタクト部ＳＬＣＰには、コンタクトホールＣＨ１の底面ＣＨｂが配置される。導電層ＣＬ２（図１５参照）と導電層ＣＬ３（図１５参照）との接続信頼性を向上させる観点から、コンタクトホールＣＨ１の底面ＣＨｂの面積は広い事が好ましい。このため、コンタクト部ＳＬＣＰは延在配線部ＳＬｒより広い幅を備える。ただし、導電層ＣＬ２に形成される導体パターンの面積が大きい箇所では、この導体パターンに起因する容量負荷が大きくなる。したがって、図１４に示すように、平面視において、複数のコンタクトホールＣＨ１のそれぞれの底面ＣＨｂは、複数の走査信号線ＧＬと重ならない位置に形成されることが好ましい。これにより、コンタクト部ＳＬＣＰと複数の走査信号線ＧＬとの間の相互の容量負荷を低減することができる。
【００７９】
コンタクト部ＳＬＣＰと複数の走査信号線ＧＬとの間の相互の容量負荷を低減するためには、図１４に示すように、映像信号線ＳＬＧのコンタクト部ＳＬＣＰの全体が走査信号線ＧＬと重ならないことが特に好ましい。ただし、コンタクト部ＳＬＣＰは、走査信号線ＧＬの迂回配線部ＧＬｃが高密度で配置される額縁領域に形成される。このため、映像信号線ＳＬＧのコンタクト部ＳＬＣＰの全体が走査信号線ＧＬと重ならないように配置することが困難な場合もある。この場合でも、少なくとも、複数のコンタクトホールＣＨ１のそれぞれの底面ＣＨｂが、複数の走査信号線ＧＬと重ならない位置に形成されていれば、コンタクト部ＳＬＣＰと複数の走査信号線ＧＬとの間の相互の容量負荷を低減することができる。
【００８０】
また、図１４に示す例では、隣り合う走査信号線ＧＬの迂回配線部ＧＬｃの離間距離ＧＬｓ１は、隣り合う映像信号線ＳＬの迂回配線部ＳＬｃ２の離間距離ＳＬｓ１より大きい。このように、隣り合う走査信号線ＧＬの迂回配線部ＧＬｃの離間距離ＧＬｓ１を大きくすることにより、複数のコンタクトホールＣＨ１のそれぞれの底面ＣＨｂが、複数の走査信号線ＧＬと重ならない位置に形成されるレイアウトを実現し易くなる。また、図５および図６を用いて説明したように、額縁領域ＦＲＡに配置される走査信号線ＧＬの本数は、額縁領域ＦＲＡに配置される映像信号線ＳＬの本数より少ない。したがって、額縁領域の形状が環状である場合には、額縁領域ＦＲＡの面積を規定する要因としては、映像信号線ＳＬの迂回配線部ＳＬｃ２の配置ピッチが支配的であるので、迂回配線部ＧＬｃの離間距離ＧＬｓ１が大きい場合でも、額縁領域ＦＲＡの面積の増大を抑制できる。
【００８１】
図１６は、図１に示す透明領域ＴＲＡの周囲の額縁領域に配置されるシール材の平面形状を示す拡大平面図である。図１７は、図１６のＡ−Ａ線に沿った拡大断面図である。図１６に示すように、表示装置ＤＳＰ１は、平面視において、透明領域ＴＲＡを囲むように額縁領域ＦＲＡに配置され、基板１０（図１７参照）と基板２０（図１７参照）とを接着固定するシール材ＳＬＭを備える。シール材ＳＬＭは、図１および図２に示す周辺領域ＰＦＡに配置されるシール材ＳＬＭと同じ材料から成り、液晶層ＬＱ（図１７参照）が表示領域ＤＡの外側に漏れ出すことを抑制する機能を備える。図１７に示す例では、透明領域ＴＲＡには、基板１０や基板２０が存在するが、額縁領域ＦＲＡの全周に亘って、シール材ＳＬＭが配置されている場合、透明領域ＴＲＡにおいて、基板１０（または基板１０および基板２０）を貫通する開口部が形成されていても良い。また、シール材ＳＬＭの紫外線硬化に関しては上述する通りである。
【００８２】
図１６に示すように、額縁領域ＦＲＡにシール材ＳＬＭを配置する場合、額縁領域ＦＲＡの任意の一点（開始点）からシール材ＳＬＭの塗布を開始する。シール材ＳＬＭの塗布処理は、透明領域ＴＲＡの外周に沿って円を描くように連続的に実施され、シール材ＳＬＭの塗布の開始点に戻った時点で終了する。上記したシール材ＳＬＭの塗布方法の場合、塗布処理の開始点と終点とが重なる位置では、シール材ＳＬＭの塗布量が多くなる。この結果、塗布処理の開始点におけるシール材ＳＬＭの幅ＷＳＬ１は、開始点および終点とは異なる位置のシール材ＳＬＭの幅ＷＳＬ２より太くなる。シール材ＳＬＭが表示領域ＤＡに漏れると、表示不良の原因になり、シール材ＳＬＭが透明領域ＴＲＡに漏れると、光透過特性不良の原因となる。したがって、シール材ＳＬＭの塗布処理の開始位置においても、シール材ＳＬＭが額縁領域ＦＲＡから漏れ出ないようにする必要がある。
【００８３】
表示装置ＤＳＰ１の場合、図４に示すように、導電層ＣＬ２は、絶縁膜１４に覆われ、導電層ＣＬ３は、絶縁膜１４上に形成され、かつ、絶縁膜１５に覆われる。また、図１３に示すように、額縁領域ＦＲＡには、導電層ＣＬ２（図１５参照）と導電層（図１５参照）とを電気的に接続する複数のコンタクトホールＣＨ１がＸ方向に沿って配列されるコンタクト領域ＣＴＡがある。そして、図１７に示すように、コンタクト領域ＣＴＡと表示領域ＤＡとの間には、絶縁膜１４上に導電層ＣＬ３（図１５参照）および絶縁膜１５が形成されていない段差部ＳＴＰ１がある。段差部ＳＴＰ１では、絶縁膜１５が取り除かれた凹形状になっている。シール材ＳＬＭの塗布量が局所的に多くなった場合、段差部ＳＴＰ１に、シール材ＳＬＭが流れ込む場合がある。しかし、段差部ＳＴＰ１では、表示領域ＤＡと比較して配向膜ＡＬ１と配向膜ＡＬ２との離間距離が大きくなっている。このため、例えシール材ＳＬＭが段差部ＳＴＰ１内に広がったとしても、その端部は、表示領域ＤＡまでは広がらない。すなわち、段差部ＳＴＰ１を形成することにより、シール材ＳＬＭが表示領域ＤＡあるいは、透明領域ＴＲＡに漏れ出すことを抑制できる。
【００８４】
段差部ＳＴＰ１は、絶縁膜１５の一部分を除去することにより形成される。表示装置ＤＳＰ１の場合、図１５に示すように額縁領域ＦＲＡ内に導電層ＣＬ３の導体パターンが形成されるので、額縁領域ＦＲＡ内に絶縁膜１５を形成する必要がある。ただし、図１７に示すように、コンタクト領域ＣＴＡの位置を透明領域ＴＲＡ側に寄せることにより、段差部ＳＴＰ１を形成することが可能になる。
【００８５】
また、図１３に示すように、額縁領域ＦＲＡにおいて、複数の映像信号線ＳＬと複数の走査信号線ＧＬの迂回配線部ＧＬｃとは互いに交差する。図１５に示す導電層ＣＬ１および導電層ＣＬ２を形成する工程では、導電層ＣＬ２を形成する前に導電層ＣＬ１および絶縁膜１３が形成されている。また、絶縁膜１３は無機絶縁膜である、絶縁膜１４より厚さが薄いので、絶縁膜１３の表面の平坦性は絶縁膜１４の平坦性より低い。このため、複数の映像信号線ＳＬと複数の走査信号線ＧＬの迂回配線部ＧＬｃとが交差する交差部において、映像信号線ＳＬの配線幅が細く成り易い。
【００８６】
そこで、表示装置ＤＳＰ１の場合、走査信号線ＧＬとの交差部において、映像信号線ＳＬが細くなり、信号伝送特性が低下することを抑制する対策を行っている。すなわち、図６に示す複数の映像信号線ＳＬのそれぞれが備える延在配線部ＳＬｒの幅ＳＬｗ１は、複数の迂回配線部ＳＬｃ２の幅ＳＬｗ２より大きい。上記したように、額縁領域ＦＲＡの面積を低減するため、迂回配線部ＳＬｃ２の配置ピッチＳＬｐ２は、出来る限り小さいことが好ましい。迂回配線部ＳＬｃ２の幅ＳＬｗ２を小さくすることにより、配置ピッチＳＬｐ２を小さくすることができる。図６に示す例では、迂回配線部ＳＬｃ２の幅ＳＬｗ２は２．１μｍであり、配置ピッチＳＬｐ２は、４．５μｍである。一方、複数の映像信号線ＳＬのそれぞれが備える延在配線部ＳＬｒの幅ＳＬｗ１は、２．７μｍである。これにより、走査信号線ＧＬとの交差部において、映像信号線ＳＬが細くなり、信号伝送信頼性が低下することを抑制できる。
【００８７】
なお、図７に示す迂回配線部ＳＬｃ３の幅ＳＬｗ３は、３．５μｍである。導電層ＣＬ３（図１５参照）に形成される導体パターンは、導電層ＣＬ２（図１５参照）に形成される導体パターンと比較して、抵抗が大きい金属により形成されている。このため、導電層ＣＬ３では、迂回配線部ＳＬｃ３の幅ＳＬｗ３を図６に示す幅ＳＬｗ２よりも大きくすることにより、迂回配線部ＳＬｃ３と迂回配線部ＳＬｃ２との間での、配線インピーダンスの差を低減することができる。また、図５に示す走査信号線ＧＬの迂回配線部ＧＬｃの幅ＧＬｗ２は、表示領域ＤＡにおける走査信号線ＧＬの幅ＧＬｗ１と同じである。例えば、図５に示す例では、幅ＧＬｗ１および幅ＧＬｗ２はそれぞれ３μｍである。
【００８８】
また、図１３に示すように、複数の映像信号線ＳＬと複数の走査信号線ＧＬの迂回配線部ＧＬｃとは互いに交差する交差部において、交差することによる容量負荷を低減する観点からは、映像信号線ＳＬと走査信号線ＧＬとが重なる部分の面積は小さい方が良い。映像信号線ＳＬと走査信号線ＧＬとが重なる部分の面積を低減させる観点からは、映像信号線ＳＬと走査信号線ＧＬとが交差する角度が直角に近い程好ましい。本実施の形態の場合、図１３に示すように、額縁領域ＦＲＡにおいて、複数の映像信号線ＳＬと複数の迂回配線部ＧＬｃとが交差する複数の交差部のそれぞれに形成される鋭角は、４５度以上の角度の鋭角θ１の数の方が、４５度未満の角度の鋭角の数より多い。なお、図１３に示す例では、映像信号線ＳＬと迂回配線部ＧＬｃとが交差する交差部に形成される鋭角が４５度未満になるものは無い。上記した、「４５度以上の角度の鋭角θ１の数の方が、４５度未満の角度の鋭角の数より多い」という表現には、４５度未満の角度の鋭角が存在しない場合も含む。また、上記表現には、４５度未満の角度の鋭角が存在する場合も含まれることは言うまでもない。
【００８９】
（実施の形態２）
上記実施の形態１では、映像信号線ＳＬの迂回配線部が、複数の導電層に形成されていることにより、図６に示す額縁領域ＦＲＡの面積を低減する実施態様について説明した。本実施の形態２では、映像信号線ＳＬの迂回配線部を一つの導電層で引き回す場合の実施態様について説明する。図１８は、図６に対する変形例である表示装置が有する透明領域周辺の第２導電層の拡大平面図である。
【００９０】
図１８に示す表示装置ＤＳＰ２は、映像信号線ＳＬの全ての迂回配線部ＳＬｃ２が第２導電層である導電層ＣＬ２に配置され、図７に示す導電層ＣＬ３には配線が形成されていない点で、図６に示す表示装置ＤＳＰ１と相違する。表示領域ＤＡにおける映像信号線ＳＬの配置ピッチＳＬｐ１は図６に示す例と同様で、１８μｍである。また、額縁領域ＦＲＡにおける迂回配線部ＳＬｃ２の配置ピッチＳＬｐ２も、図６に示す例と同様で４．５μｍである。表示装置ＤＳＰ２の場合、迂回配線部ＳＬｃ２の配置ピッチＳＬｐ２は、表示領域ＤＡにおける映像信号線ＳＬの配置ピッチＳＬｐ１より小さいので、額縁領域ＦＲＡの面積を低減することができる。
【００９１】
図１９は、図１８に示す複数の迂回配線部が配置される領域を模式的に示す拡大平面図である。図１９に示すように、表示装置ＤＳＰ２の場合、複数の迂回配線部ＳＬｃ２は、Ｘ方向において、透明領域ＴＲＡの両隣に配置されている。言い換えれば、図１９に示すように、額縁領域ＦＲＡは、Ｘ方向において、透明領域ＴＲＡの隣に配置され、複数の迂回配線部ＳＬｃ２（図１８参照）のそれぞれの一部が配置される領域（第１領域）ＦＲＡ１を含む。また、額縁領域ＦＲＡは、Ｘ方向において、透明領域ＴＲＡを挟んで領域ＦＲＡ１の反対側に配置され、複数の迂回配線部ＳＬｃ２のそれぞれの他の一部が配置される領域（第２領域）ＦＲＡ２を含む。
【００９２】
図１９に示すように、Ｘ方向において、透明領域ＴＲＡの両隣に迂回配線部ＳＬｃ２（図１８参照）が配置されている場合、Ｘ方向において、透明領域ＴＲＡのいずれか一方の隣のみに、迂回配線が配置されている場合と比較して、額縁領域ＦＲＡの面積を低減できる。
【００９３】
また、図１９に示す領域ＦＲＡ１に配置される複数の迂回配線部ＳＬｃ２（図１８参照）のそれぞれは、透明領域ＴＲＡの外縁に沿って円弧状に延びる。領域ＦＲＡ１の平面形状は、三日月形である。領域ＦＲＡ１の幅ＦＲｗ１は、Ｙ方向における位置に対応して変化し、かつ、透明領域ＴＲＡの中心からＸ方向に延ばした第１仮想線ＶＬ１と重なる位置において最も大きい。同様に、領域ＦＲＡ２に配置される複数の迂回配線部ＳＬｃ２のそれぞれは、透明領域ＴＲＡの外縁に沿って円弧状に延びる。領域ＦＲＡ２の平面形状は、三日月形である。領域ＦＲＡ２の幅ＦＲｗ２は、Ｙ方向における位置に対応して変化し、かつ、透明領域ＴＲＡの中心からＸ方向に延ばした第１仮想線ＶＬ１と重なる位置において最も大きい。なお、領域ＦＲＡ１、ＦＲＡ２の幅とは、各領域の最内周に配置される迂回配線部の接線方向に対して直交する方向の長さとして定義される。幅ＦＲｗ１およびＦＲｗ２は、仮想線ＶＬ１からの距離が遠くなるにしたがって、徐々に小さくなる。
【００９４】
図２０は、図１８に示す表示装置ＤＳＰ２の第１導電層の複数の迂回配線部が配置される領域を模式的に示す拡大平面図である。図９に示す表示装置ＤＳＰ１と同様に、図２０に示す表示装置ＤＳＰ２が備える額縁領域ＦＲＡは、Ｙ方向において、透明領域ＴＲＡの隣に配置され、複数の迂回配線部ＧＬｃ（図５参照）のそれぞれの一部が配置される領域（第３領域）ＦＲＡ３を含む。また、額縁領域ＦＲＡは、Ｙ方向において、透明領域ＴＲＡを挟んで領域ＦＲＡ３の反対側に配置され、複数の迂回配線部ＧＬｃのそれぞれの他の一部が配置される領域（第４領域）ＦＲＡ４を含む。
【００９５】
また、図１９に示すように、平面視において、額縁領域ＦＲＡの領域ＦＲＡ１および領域ＦＲＡ２の外縁（表示領域ＤＡ側の周縁部）は、Ｘ方向に沿って二つの焦点を持つ第１楕円ＥＬＰ１に沿って配置される。また図２０に示すように、平面視において、額縁領域ＦＲＡの領域ＦＲＡ３および領域ＦＲＡ４の外縁（表示領域ＤＡ側の周縁部）は、Ｙ方向に沿って二つの焦点を持つ第２楕円ＥＬＰ２に沿って配置される。
【００９６】
また、図１９および図２０に示すように、平面視において、透明領域ＴＲＡは円形である。平面視において、図１９に示す額縁領域ＦＲＡの領域ＦＲＡ１および領域ＦＲＡ２の内縁（透明領域ＴＲＡ側の周縁部）は、透明領域ＴＲＡの中心と同心円である円に沿って配置される。また、図２０に示すように、平面視において、額縁領域ＦＲＡの領域ＦＲＡ３および領域ＦＲＡ４の内縁（透明領域ＴＲＡ側の周縁部）は、透明領域ＴＲＡの中心と同心円である円に沿って配置される。
【００９７】
図２１は、図１２に対する変形例を示す拡大断面図である。表示装置ＤＳＰ２の場合、上記したように導電層ＣＬ３には迂回配線部が配置されない。このため、映像信号線ＳＬのレイアウトが図１２を用いて説明した表示装置ＤＳＰ１とは異なる。すなわち、図２１に示すように、複数の映像信号線ＳＬは、第１色用（例えば赤色用）の映像信号が伝送される複数の映像信号線ＳＬＲと、第２色用（例えば青色用）の映像信号が伝送される複数の映像信号線ＳＬＢと、第３色用（例えば緑色用）の映像信号が伝送される複数の映像信号線ＳＬＧとを含む。平面視において、隣り合う迂回配線部ＧＬｃの間には、映像信号線ＳＬＲ、映像信号線ＳＬＧ、および映像信号線ＳＬＢがそれぞれ１本ずつ配置される。
【００９８】
また、映像信号線ＳＬＲ、映像信号線ＳＬＧ、および映像信号線ＳＬＢの配列順序は規則的になっていることが好ましい。すなわち、図２１に示す例の場合、映像信号線ＳＬＧと一方の迂回配線部ＧＬｃとの間に映像信号線ＳＬＲの迂回配線部ＳＬｃ２が配置され、映像信号線ＳＬＧと他方の迂回配線部ＧＬｃとの間に映像信号線ＳＬＢの迂回配線部ＳＬｃ２が配置される。この場合、映像信号線ＳＬＲ、映像信号線ＳＬＧ、および映像信号線ＳＬＢのそれぞれの配線に対する容量負荷が、色毎に均一化することができる。この結果、画素毎に色の濃度を設定して画像を表示するラスタ形式で表示を行う際に、映像信号線ＳＬに対する容量負荷の差に起因する表示ムラを低減することができる。
【００９９】
表示装置ＤＳＰ２は、上記した相違点を除き、図１に示す表示装置ＤＳＰ１と同様である。したがって重複する説明は省略する。ただし、図１〜図１７を用いて説明した表示装置ＤＳＰ１が備える複数の技術的特徴のうちの一部を表示装置ＤＳＰ２に適用しても良い。
【０１００】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、または、工程の追加、省略若しくは条件変更を行ったものも、本発明の要旨を備えている限り、本発明の範囲に含まれる。
【０１０１】
また上記した実施の形態の説明には、以下の技術的思想が含まれる。
【０１０２】
〔付記１〕
表示領域と、
平面視において前記表示領域の内側にある透明領域と、
平面視において前記透明領域の外縁に沿って前記透明領域を囲み、前記表示領域と前記透明領域との間にある額縁領域と、
を備える第１基板と、
前記表示領域において前記第１基板上の第１導電層に形成され、第１方向に延びる複数の走査信号線と、
前記表示領域において前記第１基板上の第２導電層に形成され、前記第１方向と交差する第２方向に延びる複数の映像信号線と、
を有し、
前記複数の走査信号線の一部は、前記表示領域に配置され、前記第１方向に延びる複数の第１延在配線と、前記額縁領域に配置され、両端が前記複数の第１延在配線に接続される複数の第１迂回配線と、を備え、
前記複数の映像信号線の一部は、前記表示領域に配置され、前記第２方向に延びる複数の第２延在配線と、前記額縁領域に配置され、両端が前記複数の第２延在配線に接続される複数の第２迂回配線と、を備え、
前記複数の第１迂回配線の配置ピッチは、前記複数の第１延在配線の配置ピッチより小さく、
前記複数の第２迂回配線の配置ピッチは、前記複数の第２延在配線の配置ピッチより小さく、
前記額縁領域は、
前記第１方向において、前記透明領域の隣に配置され、前記複数の第２迂回配線のそれぞれの一部が配置される第１領域と、
前記第１方向において、前記透明領域を挟んで前記第１領域の反対側に配置され、前記複数の第２迂回配線のそれぞれの他の一部が配置される第２領域と、
前記第２方向において、前記透明領域の隣に配置され、前記複数の第１迂回配線のそれぞれの一部が配置される第３領域と、
前記第２方向において、前記透明領域を挟んで前記第３領域の反対側に配置され、前記複数の第１迂回配線のそれぞれの他の一部が配置される第４領域と、
を含む、表示装置。
【０１０３】
〔付記２〕
付記１において、
平面視において、前記額縁領域の前記第１領域および前記第２領域の外縁（表示領域側の周縁部）は、前記第１方向に沿って二つの焦点を持つ第１楕円に沿って配置され、
平面視において、前記額縁領域の前記第３領域および前記第４領域の外縁（表示領域側の周縁部）は、前記第２方向に沿って二つの焦点を持つ第２楕円に沿って配置される、表示装置。
【０１０４】
〔付記３〕
付記２において、
平面視において、前記透明領域は円形であり、
平面視において、前記額縁領域の前記第１領域および前記第２領域の内縁（透明領域側の周縁部）は、前記透明領域の中心と同心円である第１円に沿って配置され、
平面視において、前記額縁領域の前記第３領域および前記第４領域の内縁（透明領域側の周縁部）は、前記透明領域の中心と同心円である第２円に沿って配置される、表示装置。
【０１０５】
〔付記４〕
付記１において、
前記複数の映像信号線は、第１色用の映像信号が伝送される複数の第１映像信号線と、第２色用の映像信号が伝送される複数の第２映像信号線と、第３色用の映像信号が伝送される複数の第３映像信号線とを含み、
平面視において、隣り合う前記第１迂回配線の間には、前記第１映像信号線、前記第２映像信号線、および前記第３映像信号線がそれぞれ１本ずつ配置される、表示装置。
【産業上の利用可能性】
【０１０６】
本発明は、表示装置に利用可能である。
【符号の説明】
【０１０７】
１０，２０  基板
１０ｆ，２０ｆ  前面（面、主面）
２０ｂ  背面（面、主面）
１１−１６  絶縁膜
ＡＬ１，ＡＬ２  配向膜
ＣＨ１  コンタクトホール
ＣＨｂ  底面
ＣＬ１，ＣＬ２，ＣＬ３，ＣＬ４，ＣＬ５  導電層
ＣＴＡ  コンタクト領域
ＤＡ  表示領域
ＤＳＰ１，ＤＳＰ２  表示装置
ＦＲＡ  額縁領域
ＧＬ  走査信号線
ＧＬｃ，ＳＬｃ２，ＳＬｃ３  迂回配線部（迂回配線）
ＧＬｒ，ＳＬｒ  延在配線部（延在配線）
ＧＬｓ１，ＳＬｓ１  離間距離
ＧＬｐ１，ＧＬｐ２，ＳＬｐ１，ＳＬｐ２，ＳＬｐ３  配置ピッチ
ＧＬｗ１，ＧＬｗ２，ＳＬｗ１，ＳＬｗ２，ＳＬｗ３  幅
ＬＱ  液晶層
ＳＬ，ＳＬＢ，ＳＬＧ，ＳＬＲ  映像信号線
ＳＬＣＰ  コンタクト部
ＳＬＭ  シール材（接着材）
ＳＴＰ１  段差部
ＴＲＡ  透明領域
【図１】
2020034754.tif 000003
【図２】
2020034754.tif 000004
【図３】
2020034754.tif 000005
【図４】
2020034754.tif 000006
【図５】
2020034754.tif 000007
【図６】
2020034754.tif 000008
【図７】
2020034754.tif 000009
【図８】
2020034754.tif 000010
【図９】
2020034754.tif 000011
【図１０】
2020034754.tif 000012
【図１１】
2020034754.tif 000013
【図１２】
2020034754.tif 000014
【図１３】
2020034754.tif 000015
【図１４】
2020034754.tif 000016
【図１５】
2020034754.tif 000017
【図１６】
2020034754.tif 000018
【図１７】
2020034754.tif 000019
【図１８】
2020034754.tif 000020
【図１９】
2020034754.tif 000021
【図２０】
2020034754.tif 000022
【図２１】
2020034754.tif 000023